(57)【要約】      （修正有）【課題】扉を開ける時に発生する、扉の前後振りおよび左右振りを防止し、また、ねじりばねを固定することができるネットワークソケットを提供する。【解決手段】ネットワークソケットは、開口部と枢軸装置とを有するソケット本体と、枢軸装置によってソケット本体に接続される扉本体４０であって、第一保持部５０を有する扉本体と、開口部に取り付けられ、第一保持部に当接する第二保持部と、を含む。【選択図】図５
0003197325.tif 000002
【実用新案登録請求の範囲】
【請求項１】
開口部と枢軸装置とを有するソケット本体と、
前記枢軸装置によってソケット本体に接続され扉本体であって、第一保持部を有する前記扉本体と、
前記開口部に取り付けられ、前記第一保持部に当接する第二保持部と、を含むことを特徴とするネットワークソケット。
【請求項２】
前記扉本体は、前記開口部に面する内面と、前記内面に対向する外面とを含み、
前記第一保持部は、前記内面に設けられる凹んだ溝であり、
前記凹んだ溝は、前記扉本体が前記開口部に向かって開いた後、前記扉本体を固定するように形成され、
前記第二保持部は、前記凹んだ溝に埋め込まれるように形成される突出部であり、
前記第二保持部には、前記第二保持部が前記第一保持部に埋め込まれやすくなるように、第一摺動斜面が形成されることを特徴とする、請求項１に記載のネットワークソケット。
【請求項３】
前記開口部が、底面及び側壁を有し、
前記枢軸装置は、前記ソケット本体の前記側壁に設置される突出軸であることを特徴とする、請求項１又は２に記載のネットワークソケット。
【請求項４】
前記扉本体は、前記開口部に向かって開いて前記底面までに位置するために、前記突出軸に組み立てられるピボット溝を更に含むことを特徴とする、請求項１〜３のいずれかに記載のネットワークソケット。
【請求項５】
前記ネットワークソケットは、第一端部と、第二端部と、前記第一端部と前記第二端部とを接続するばね本体と、を有するねじりばねを更に含み、
前記扉本体は、位置決め装置と、前記第一端部を収容するための狭い溝と、前記ばね本体を収容するための収容溝とを有し、
前記位置決め装置は、前記狭い溝が前記第一端部を収容する時、前記第一端部に当接して固定することを特徴とする、請求項１〜４のいずれかに記載のネットワークソケット。
【請求項６】
ソケット本体と、
扉本体と、
前記ソケット本体と前記扉本体とを接続する枢軸装置であって、第一端部を有するねじりばねを有する前記枢軸装置と、
前記扉本体に形成され、前記第一端部を固定する位置決め装置と、を含むことを特徴とするネットワークソケット。
【請求項７】
前記位置決め装置は、前記第一端部を収容するための狭い溝を有する細長い柱であり、前記狭い溝が前記第一端部を収容する時、前記第一端部に当接して固定し、
前記位置決め装置は、前記第一端部の配置を容易にするために、前記第一端部に当接する前記細長い柱の端部に第二摺動斜面を有することを特徴とする請求項６に記載のネットワークソケット。
【請求項８】
前記ソケット本体は、開口部を有し、前記開口部の側壁に設置される一対の突出軸を更に有し、
前記扉本体は、前記ソケット本体の開口部を閉じるように、前記ソケット本体に回転自在に設けられ、
前記扉本体は、前記突出軸に組み立てられるための一対のピボット穴を更に含むことを特徴とする請求項６又は７に記載のネットワークソケット。
【考案の詳細な説明】
【技術分野】
【０００１】
（関連出願の相互参照）
本出願は、２０１３年１１月１９日に出願された第１０２２２１６１８号の台湾出願に基づく利益を主張し、その内容は参考として本明細書に取り入れるものとする。
【０００２】
本考案は、ネットワークソケットに関し、特に、扉を開ける時に発生する前後振りおよび左右振りを防止するネットワークソケットに関する。
【背景技術】
【０００３】
ネットワークソケットに設けられた扉は、ネットワークソケット内の接続ピンを保護しつつ、異物の侵入を避けることができる。例えば出願人が出願した台湾特許第Ｉ４１５３４２号（登録日：２０１３年１１月１１日、以下の従来特許と呼ぶ）に記載されるような図１を参照する。従来特許において、扉本体１０は、ネットワークソケット１２の二つの柱１３に当接する凹部である固定機構１１を有する。ネットワークソケット１２は、ソケットを固定するために、前端部１０１よりも高い二つのトップラッチ１４を更に有している。二つの柱１３は、扉本体１０の左右振りを効果的に防止できるが、扉本体１０の前後振りを防止し難くなる。
【０００４】
図２において、枢軸装置２０にあるねじりばね２１の第一端部２２は、狭い溝２３内に配置されるが、狭い溝２３には固定装置がないため、第一端部２２が組み立てる工程に上に移動しやすく、狭い溝２３から離れる。故に、従来特許は、依然として改善を要する。
【考案の概要】
【考案が解決しようとする課題】
【０００５】
即ち、従来の課題は、ねじりばねの第一端部が組み立てる工程に上に移動しやすく、狭い溝から離れること、扉本体の前後振りを回避しつつ扉本体をしっかりと開けること、及びねじりばね本体を扉本体に配置することである。従って、本考案はこのような従来の課題を解決するため、実験と研究を重ねた結果、見出されたものである。
【課題を解決するための手段】
【０００６】
従来技術に鑑み、本考案は、ネットワークソケットを提出する。前記ネットワークソケットは、前記開口部と枢軸装置とを有するソケット本体と、前記枢軸装置によってソケット本体に接続され扉本体であって、第一保持部を有する前記扉本体と、前記開口部に取り付けられ、前記第一保持部に当接する第二保持部と、を含む。
【０００７】
上述の目的を達成するために、ネットワークソケットを提供する。前記ネットワークソケットは、ソケット本体と、扉本体と、前記ソケット本体と前記扉本体とを接続する枢軸装置であって、第一端部を有するねじりばねを有する前記枢軸装置と、前記扉本体に形成され、前記第一端部を固定する位置決め装置と、を含む。
【考案の効果】
【０００８】
本考案は、扉が開く時、扉の前後振りと左右振りを防止し、ねじりばねを固定することができる。
【図面の簡単な説明】
【０００９】
【図１】従来のネットワークソケットを示す斜視図である。
【図２】図１における扉本体を示す背面図である。
【図３】本考案の好ましい実施形態に係るネットワークソケットのソケット本体を示す斜視図である。
【図４】図３におけるネットワークソケットの扉本体の外面を示す下方斜視図である。
【図５】図３におけるネットワークソケットの扉本体の内面を示す上方斜視図である。
【図６】本考案の他の好ましい実施形態に係るネットワークソケットとネットワークプラグとを接続した状態を示す断面図である。
【図７】図６における突出部を示す部分拡大図である。
【図８】図６における扉本体を示す背面図である。
【図９】図５における扉本体がねじりばねを取り外した後の状態を示す下方斜視図である。
【図１０】図９における扉本体を示す背面図である。
【図１１（Ａ）】図１０におけるＡ-Ａ線に沿って示す側面図である。
【図１１（Ｂ）】図１０におけるＢ-Ｂ線に沿って示す側面図である。
【図１２】図６におけるネットワークソケットの扉本体を閉じる状態を示す斜視図である。
【考案を実施するための形態】
【００１０】
以下のように、本考案を実施例に基づいて詳述するが、あくまでも例示であって、本考案の範囲はこれらの実施形態に限定されない。本考案の範囲は、実用新案登録請求の範囲に記載されており、さらに実用新案登録請求の範囲の記載と均等な意味及び範囲内での全ての変更を含んでいる。
【００１１】
図３は、本考案の好ましい実施形態に係るネットワークソケット３０１のソケット本体３０を示す斜視図である。また、図３は、ネットワークソケット３０１をより明瞭に示すために、ソケット本体３０だけを示し、扉本体４０を図示していない。ソケット本体３０は、ネットワークプラグを差し込むための開口部３１と、ソケットを固定するための二つのトップラッチ３６と、を有する。開口部３１は、ネットワークプラグの形状に合わせて、底面３５及び側壁３４を有する。開口部３１の側壁３４には、二つの突出軸３２（枢軸装置）が対向に設けられる。図４は、図３におけるネットワークソケット３０１の扉本体４０の外面を示す下方斜視図である。扉本体４０は、開口部３１に面する扉本体内面５１と、扉本体内面５１に対向する扉本体外面４０１とを含む。図５は、図３におけるネットワークソケット３０１の扉本体４０の内面を示す上方斜視図である。図４と５において、扉本体４０は、開口部３１に向かって開いて底面３５までに位置するために、突出軸３２に組み立てられるピボット穴４１とピボット溝５３を更に含む。また、扉本体４０は、扉本体内面５１に設けられる凹溝（第一保持部）５０を有する。図３における第二保持部（突出部）３３は、開口部３１の底面３５に取り付けられ、第一保持部５０に当接するためのものである。扉本体４０が開口部３１に向かって開いた後、第二保持部３３は、第一保持部５０に埋め込まれることにより、扉本体４０を固定する。このため、扉本体４０の前後振りと左右振りを防止することができる。
【００１２】
図６は、本考案の他の好ましい実施形態に係るネットワークソケット６０とネットワークプラグとを接続した状態を示す断面図である。図６は、第二保持部３３が第一保持部５０に埋め込まれる状態を示す。図７は、図６における突出部３３を示す部分拡大図である。図７に示すように、第二保持部３３が第一保持部５０に当接する。第二保持部３３の端部には、第二保持部３３が第一保持部５０に埋め込まれやすくなるように、摺動斜面７０（第一摺動斜面）が形成される。図８は、図６における扉本体４０を示す背面図である。図８に示すように、ネットワークソケット３０１は、ねじりばね８０を有する。ねじりばね８０は、第一端部８２１と、第二端部と、第一端部８２１と前記第二端部とを接続するばね本体８１と、を有する。図９は、図５における扉本体４０がねじりばね８０を取り外す後の状態を示す図である。図９に示すように、扉本体４０は、ばね本体８１を収容するための収容溝９０とを有する。図１０は、図９における扉本体４０を示す背面図である。図１０に示すように、扉本体４０は、位置決め装置１００を更に含む。図１１(Ａ)は、図１０におけるＡ-Ａ線に沿って示す側面図である。図１１(Ａ)に示すように、扉本体４０は、位置決め装置１００と、第一端部８２１を収容するための狭い溝１１１と、ばね本体８１を収容するための収容溝９０とを有する。位置決め装置１００は、狭い溝１１１が第一端部８２１を収容する時、第一端部８２１に当接して固定する。位置決め装置１００は、第一端部８２１の配置を容易にするために、第一端部８２１に当接する柱端部に摺動斜面１１２（第二摺動斜面）を有する。図１１(Ｂ)は、図１０におけるＢ-Ｂ線に沿って示す側面図である。第一保持部５０の深さは、図１１(Ｂ)に示すように延在する。 
【００１３】
図１２は、図６におけるネットワークソケットの扉本体を閉じる状態を示す斜視図である。ネットワークソケットは、トップラッチ１４、３６と異なり、上に設けられたトップラッチ１２０を更に有する。
【００１４】
本考案の他の好ましい実施形態に係るネットワークソケット３０１の扉本体４０は、ソケット本体３０の開口部３１を閉じるように、ソケット本体３０に回転自在に設けられる。ソケット本体３０は、二つのストッパー３３を有し、扉本体４０は、二つの凹溝５０を有する扉本体内面５１を有する。凹溝５０は、扉本体４０が開口部３１に向かって開いた後、ストッパー３３が凹溝５０に埋め込まれる。この時、開口部３１の底面３５に取り付けられるストッパー３３は、凹溝５０に当接している。
【００１５】
本考案の他の好ましい実施形態に係るネットワークソケット３０１は、ソケット本体３０、扉本体４０、二つの枢軸装置３２及び制限要素１００を含む。二つの枢軸装置３２は、ソケット本体３０と扉本体４０とを接続し、固定端８２１を有するねじりばね８０を有する。制限要素１００は、扉本体４０に形成され、固定端８２１を固定する。制限要素１００は、固定端８２１を収容するための狭い溝１１１を有する細長い柱であり、狭い溝１１１が固定端８２１を収容する時、固定端８２１に当接して固定する。制限要素１００は、固定端８２１の配置を容易にするために、固定端８２１に当接する前記細長い柱の端部に第二摺動斜面１１２を有する。
【００１６】
本考案の他の好ましい実施形態に係るネットワークソケット３０１の扉本体４０は、ソケット本体３０の開口部３１を閉じるように、ソケット本体３０に回転自在に設けられる。ソケット本体３０は、二つの回転軸３２を有する。扉本体４０は、回転軸３２を收容するための一対のピボット穴４１（図は一つだけを示す）を更に含む。
【００１７】
扉本体が開く時、二つの保持部を組み立てて当接することにより、扉本体を固定して、扉本体の前後振りと左右振りを防止することができる。また、位置決め装置を利用することにより、ねじりばねの一端部を扉本体のピボット溝に埋め込まれる時に、位置決め装置は、ねじりばねの端部に当接して固定することができる。
【００１８】
以上の説明によると、当業者であれば本考案の技術思想を逸脱しない範囲で、多様な変更及び修正が可能であることが分かる。従って、本考案の技術的な範囲は、明細書の詳細な説明に記載された内容に限らず、実用新案登録請求の範囲によって定めなければならない。
【００１９】
[実施例]
１、ネットワークソケットは、開口部と枢軸装置とを有するソケット本体と、前記枢軸装置によってソケット本体に接続され扉本体であって、第一保持部を有する前記扉本体と、前記開口部に取り付けられ、前記第一保持部に当接する第二保持部と、を含む。
【００２０】
２、実施例１に記載のネットワークソケットは、前記扉本体は、前記開口部に面する内面と、前記内面に対向する外面とを含み、前記第一保持部は、前記内面に設けられた凹んだ溝であり、前記凹んだ溝は、前記扉本体が前記開口部に向かって開いた後、前記扉本体を固定するように形成され、
前記第二保持部は、前記凹んだ溝に埋め込まれるように形成される突出部であり、前記第二保持部には、前記第二保持部が前記第一保持部に埋め込まれやすくなるように、第一摺動斜面が形成される。
【００２１】
３、実施例１〜２に記載のネットワークソケットは、前記開口部が、底面及び側壁を有し、前記枢軸装置は、前記ソケット本体の前記側壁に設置される突出軸である。
【００２２】
４、実施例１〜３に記載のネットワークソケットは、前記扉本体は、前記開口部に向かって開いて前記底面までに位置するために、前記突出軸に組み立てられるピボット溝を更に含む。
【００２３】
５、実施例１〜４に記載のネットワークソケットは、第一端部と、第二端部と、前記第一端部と前記第二端部とを接続するばね本体と、を有するねじりばねを更に含み、前記扉本体は、位置決め装置と、前記第一端部を収容するための狭い溝と、前記ばね本体を収容するための収容溝とを有し、前記位置決め装置は、前記狭い溝が前記第一端部を収容する時、前記第一端部に当接して固定する。
【００２４】
６、ネットワークソケットは、ソケット本体と、扉本体と、前記ソケット本体と前記扉本体とを接続する枢軸装置であって、第一端部を有するねじりばねを有する前記枢軸装置と、前記扉本体に形成され、前記第一端部を固定する位置決め装置と、を含む。
【００２５】
７、実施例６に記載のネットワークソケットは、前記位置決め装置は、前記第一端部を収容するための狭い溝を有する細長い柱であり、前記狭い溝が前記第一端部を収容する時、前記第一端部に当接して固定し、
前記位置決め装置は、前記第一端部の配置を容易にするために、前記第一端部に当接する前記細長い柱の端部に第二摺動斜面を有する。
【００２６】
８、実施例６〜７に記載のネットワークソケットは、前記ソケット本体は、開口部を有し、前記開口部の側壁に設置される一対の突出軸を更に有し、前記扉本体は、前記ソケット本体の開口部を閉じるように、前記ソケット本体に回転自在に設けられ、前記扉本体は、前記突出軸に組み立てられるための一対のピボット溝を更に含む。
【産業上の利用可能性】
【００２７】
本考案は、ネットワークソケット、特に、扉を開ける時に発生する前後振りおよび左右振りを防止するネットワークソケットに利用される。
【符号の説明】
【００２８】
１０、４０  扉本体
１１  固定機構
１３  柱
１４、３６、１２０  トップラッチ
２０  枢軸装置
２１、８０  ねじりばね
２２  第一端部
２３  狭い溝
３０  ソケット本体
３１  開口部
３２  突出軸
３３  第二保持部
３４  側壁
３５  底面
４１  ピボット穴
５０  第一保持部
５１  扉本体内面
５３  ピボット溝
７０、１１２  摺動斜面
８１  ばね本体
１００  位置決め装置
１０１  前端部
１１１  狭い溝
１２、３０１  ネットワークソケット
４０１  扉本体外面
８２１  第一端部
【図１】
0003197325.tif 000003
【図２】
0003197325.tif 000004
【図３】
0003197325.tif 000005
【図４】
0003197325.tif 000006
【図５】
0003197325.tif 000007
【図６】
0003197325.tif 000008
【図７】
0003197325.tif 000009
【図８】
0003197325.tif 000010
【図９】
0003197325.tif 000011
【図１０】
0003197325.tif 000012
【図１１（Ａ）】
0003197325.tif 000013
【図１１（Ｂ）】
0003197325.tif 000014
【図１２】
0003197325.tif 000015
【手続補正書】
【提出日】平成27年3月9日(2015.3.9)
【手続補正１】
【補正対象書類名】実用新案登録請求の範囲
【補正対象項目名】請求項１
【補正方法】変更
【補正の内容】
【請求項１】
開口部と枢軸装置とを有するソケット本体と、
前記枢軸装置によってソケット本体に接続される扉本体であって、第一保持部を有する前記扉本体と、
前記開口部に取り付けられ、前記第一保持部に当接する第二保持部と、を含むことを特徴とするネットワークソケット。
【手続補正２】
【補正対象書類名】実用新案登録請求の範囲
【補正対象項目名】請求項４
【補正方法】変更
【補正の内容】
【請求項４】
前記扉本体は、前記開口部に向かって開いて前記底面までに位置するために、前記突出軸に組み立てられるピボット溝を更に含むことを特徴とする、請求項３に記載のネットワークソケット。